(57)【要約】      （修正有）【課題】入浴中の人が浴室内で所定の時間の間に動かないでいることを、家屋内の他の部屋に居る家人が迅速に知ることができる入浴状態見守り装置を提供する。【解決手段】見守り装置は、浴室内に配備される親機と、家屋内の他の部屋に配備される子機とからなる。親機は、作動スイッチと、作動した情報を子機に通知する親機作動情報通知手段と、浴室内の入浴者の動作を感知するセンサと、入浴者の動作が第一の所定時間連続して停止している状態を検知した場合に浴室内で警報を発報する親機側警報手段と、第一の所定時間経過後、引き続き入浴者の動作が第二の所定時間連続して停止している状態を検知した場合に異常状態に関する情報を子機に通知する異常情報通知手段とを備える。子機は、親機からの情報を受信する情報受信手段と、親機の作動状態を表示する親機作動状態表示手段と、親機から入浴者の異常状態に関する情報を取得して警報を発報する子機側警報手段とを備える。【選択図】図２
0003231286.tif 000002
【実用新案登録請求の範囲】
【請求項１】
浴室内に配備される親機と、家屋内の他の部屋に配備される子機とからなり、前記親機から前記子機に対して無線で情報送信する入浴状態見守り装置であって、
前記親機は、
前記親機を作動させる作動スイッチと、
前記作動スイッチによって前記親機が作動した情報を前記子機に通知する親機作動情報通知手段と、
前記浴室内の入浴者の動作を感知するセンサと、
前記センサで前記入浴者の動作が第一の所定時間連続して停止している状態を検知した場合、前記浴室内で警報を発報する親機側警報手段と、
前記第一の所定時間経過後、引き続き前記センサで前記入浴者の動作が第二の所定時間連続して停止している状態を検知した場合、前記入浴者の異常状態に関する情報を前記子機に通知する異常情報通知手段と、を備え、
前記子機は、
前記親機からの情報を受信する情報受信手段と、
前記親機から前記作動スイッチによって前記親機が作動した情報を取得して、前記親機の作動状態を表示する親機作動状態表示手段と、
前記親機から前記入浴者の異常状態に関する情報を取得して警報を発報する子機側警報手段と、を備えている
入浴状態見守り装置。
【請求項２】
前記親機は、更に、
前記作動スイッチによる前記親機の作動開始以降の前記入浴状態見守り装置の作動状況を記録する記録手段を備える
請求項１記載の入浴状態見守り装置。
【請求項３】
前記親機は、更に、前記浴室内の浴槽に配備されている排水ポンプを作動開始させるポンプ作動手段を備えている請求項１又は２記載の入浴状態見守り装置。
【請求項４】
前記親機は、更に、緊急時対応者に通報する緊急時対応者通報手段を備えている請求項１乃至請求項３のいずれか一項に記載の入浴状態見守り装置。
【請求項５】
前記親機は、更に、前記家屋の玄関扉に配備されている電子錠を開錠する開錠指示情報を前記電子錠に対して送る玄関錠開錠指示手段を備えている請求項１乃至請求項４のいずれか一項に記載の入浴状態見守り装置。
【請求項６】
前記子機は、更に、緊急時対応者に通報する緊急時対応者通報手段を備えている請求項１乃至請求項３のいずれか一項に記載の入浴状態見守り装置。
【請求項７】
前記子機は、更に、前記家屋の玄関扉に配備されている電子錠を開錠する開錠指示情報を前記電子錠に対して送る玄関錠開錠指示手段を備えている請求項１、２、３、６のいずれか一項に記載の入浴状態見守り装置。
【考案の詳細な説明】
【技術分野】
【０００１】
この考案は、家庭の浴室における入浴者の入浴状態を見守る装置に関する。
【背景技術】
【０００２】
入浴する際の身体状況や入浴の環境によっては、入浴中に意識障害などを起こして溺水する、等の重大な事故につながることがある。このような重大な事故によって入浴中に浴槽に溺水する等して浴室で死亡する人の数は、今日、交通事故で亡くなる人より多い。
【０００３】
今日、年間の交通事故死は５０００人を切っているが、入浴中に死亡する人は年間約１万９０００人という報告がなされている（厚生労働科学研究費補助金  入浴関連事故の実態把握及び予防対策に関する研究  平成２５年度  総括・分担研究報告書より）。
【０００４】
そこで、このような重大事故の発生を未然に防ぐ目的で、家庭の浴室における入浴者の入浴状態を見守る装置やシステムが種々提案されている（例えば、特許文献１）。
【先行技術文献】
【特許文献】
【０００５】
【特許文献１】特開２０００−９９８５５号公報
【考案の概要】
【考案が解決しようとする課題】
【０００６】
家庭の浴室での入浴中の死亡事故の７５％程度は家族が居間、キッチン、等の家屋内の他の部屋に居るときに発生している。また、このような死亡事故は６５歳以上の年齢層で増加している。
【０００７】
そこで、入浴中の人が浴室内で所定の時間の間に動かないでいることを、居間、キッチン、等の家屋内の他の部屋に居る家人が迅速に知ることができれば、入浴中の死亡事故発生をかなり高い確率で防止できる。
【０００８】
この考案は、入浴中の人が浴室内で所定の時間の間に動かないでいることを、居間、キッチン、等の家屋内の他の部屋に居る家人が迅速に知ることができる入浴状態見守り装置を簡易な構成・構造で、比較的低価格にて提供することを目的とする。
【課題を解決するための手段】
【０００９】
［１］
浴室内に配備される親機と、家屋内の他の部屋に配備される子機とからなり、前記親機から前記子機に対して無線で情報送信する入浴状態見守り装置であって、
前記親機は、
前記親機を作動させる作動スイッチと、
前記作動スイッチによって前記親機が作動した情報を前記子機に通知する親機作動情報通知手段と、
前記浴室内の入浴者の動作を感知するセンサと、
前記センサで前記入浴者の動作が第一の所定時間連続して停止している状態を検知した場合、前記浴室内で警報を発報する親機側警報手段と、
前記第一の所定時間経過後、引き続き前記センサで前記入浴者の動作が第二の所定時間連続して停止している状態を検知した場合、前記入浴者の異常状態に関する情報を前記子機に通知する異常情報通知手段と、を備え、
前記子機は、
前記親機からの情報を受信する情報受信手段と、
前記親機から前記作動スイッチによって前記親機が作動した情報を取得して、前記親機の作動状態を表示する親機作動状態表示手段と、
前記親機から前記入浴者の異常状態に関する情報を取得して警報を発報する子機側警報手段と、を備えている
入浴状態見守り装置。
【００１０】
［２］
前記親機は、更に、
前記作動スイッチによる前記親機の作動開始以降の前記入浴状態見守り装置の作動状況を記録する記録手段を備える
［１］の入浴状態見守り装置。
【００１１】
［３］
前記親機は、更に、前記浴室内の浴槽に配備されている排水ポンプを作動開始させるポンプ作動手段を備えている［１］又は［２］の入浴状態見守り装置。
【００１２】
［４］
前記親機は、更に、緊急時対応者に通報する緊急時対応者通報手段を備えている［１］乃至［３］のいずれかの入浴状態見守り装置。
【００１３】
［５］
前記親機は、更に、前記家屋の玄関扉に配備されている電子錠を開錠する開錠指示情報を前記電子錠に対して送る玄関錠開錠指示手段を備えている［１］乃至［４］のいずれかの入浴状態見守り装置。
【００１４】
［６］
前記子機は、更に、緊急時対応者に通報する緊急時対応者通報手段を備えている［１］乃至［３］のいずれかの入浴状態見守り装置。
【００１５】
［７］
前記子機は、更に、前記家屋の玄関扉に配備されている電子錠を開錠する開錠指示情報を前記電子錠に対して送る玄関錠開錠指示手段を備えている［１］、［２］、［３］、［６］のいずれかの入浴状態見守り装置。
【考案の効果】
【００１６】
この考案によれば、入浴中の人が浴室内で所定の時間の間に動かないでいることを、居間、キッチン、等の家屋内の他の部屋に居る家人が迅速に知ることができる入浴状態見守り装置を簡易な構成・構造で、比較的低価格にて提供することができる。
【図面の簡単な説明】
【００１７】
【図１】本考案の入浴状態見守り装置の構成の一例を表す図である。
【図２】図１図示の構成の本考案の入浴状態見守り装置による入浴状態を見守る処理フローを表す。
【図３】本考案の入浴状態見守り装置の構成の他の例を表す図である。
【図４】図３図示の構成の本考案の入浴状態見守り装置による入浴状態を見守る処理フローを表す。
【図５】本考案の入浴状態見守り装置による入浴状態見守りが行われる浴室の一例を説明する概念図。
【図６】本考案の入浴状態見守り装置の構成の更に他の例を表す図である。
【図７】図６図示の構成の本考案の入浴状態見守り装置による入浴状態を見守る処理フローを表す。
【考案を実施するための形態】
【００１８】
（実施の形態１）
以下、添付図面を参照して、本考案の実施形態の一例を説明する。
【００１９】
この実施形態の入浴状態見守り装置１は、浴室内に配備される親機２と、家屋内の他の部屋に配備される子機１０とからなる。親機２から子機１０に対して、無線通信規格で定められている無線通信網を利用して所定の情報を送信する。
【００２０】
［親機の構成］
親機２は、図１図示のように、作動スイッチ３、親機作動情報通知手段４、センサ５、タイマー６、親機側警報手段７、異常情報通知手段８、記録手段９と、を備えている。
【００２１】
作動スイッチ３は親機２を作動させるためのものである。本実施形態では押しボタン、タッチパネルなどの入力装置としている。
【００２２】
親機作動情報通知手段４は、作動スイッチ３によって親機２が作動した情報を無線通信で子機１０に通知する。
【００２３】
センサ５は、作動スイッチ３が操作されて親機２が作動すると、前記浴室内の入浴者の動作を感知する。
【００２４】
タイマー６は、センサ５が、前記入浴者が動作を停止したと認識した時点からその停止状態が続いている時間を計測する。
【００２５】
親機側警報手段７は、センサ５で前記入浴者の動作が第一の所定時間連続して停止している状態を検知した場合、前記浴室内で警報を発報する。例えば、センサ５が前記入浴者の動作が継続して４０秒停止していると認識したときに、前記浴室内に聞こえる警報音を発報する。
【００２６】
前記入浴者が、たまたま、居眠りしていた等、動作を停止した場合、前記警報音で目覚めるので、センサ５は前記入浴者の動作があることを確認できる。そこで、前記入浴者の動作の有無を確認するセンサ５、タイマー６による４０秒の計測処理は、前記入浴者の動作があったことを確認できた時点でリセットされ、ここからまた、４０秒間の前記入浴者の動作の有無の確認が行われる。
【００２７】
タイマー６は、第一の所定時間（４０秒）経過後、すなわち、親機側警報手段７が前記警報音を発報した後、引き続きセンサ５で入浴者の動作が連続して停止していると検知し続けているきには、第一の所定時間（４０秒）経過後、すなわち、親機側警報手段７が前記警報音を発報した後の経過時間を引き続いて計測する。
【００２８】
そして、第一の所定時間（４０秒）経過後、すなわち、親機側警報手段７が前記警報音を発報した後、引き続きセンサ５で入浴者の動作が連続して停止していると検知し続けている第二の所定時間（例えば１０秒間）を計測する。
【００２９】
異常情報通知手段８は、前記第一の所定時間経過後、引き続きセンサ５で前記入浴者の動作が前記第二の所定時間停止している状態を検知した場合、前記入浴者の異常状態に関する情報を前記無線通信で子機１０に通知する。子機１０は前記入浴者の異常状態に関する情報を取得すると、後述する子機側警報手段１３が警報を発報する。
【００３０】
例えば、第一の所定時間である４０秒間継続して前記入浴者の動作をセンサ５が確認できず、親機側警報手段７が前記浴室内に聞こえる前記警報音を発報しても、引き続き第二の所定時間である１０秒間（すなわち、４０秒の最初からの時間では５０秒）センサ５が前記入浴者の動作を確認できない場合には、異常情報通知手段８が子機３に前記入浴者の異常状態に関する情報を通知する。
【００３１】
子機３では、子機側警報手段１３が警報を発報するので、家人は前記浴室で異常が起こったことを把握でき、前記浴室に駆けつけることができる。
【００３２】
このように、前記浴室内で前記入浴者の動作が停止してから、第一の所定時間（４０秒）とこれに引き続く第二の所定時間（１０秒間）連続してセンサ５で入浴者の動作が停止していると検知し続けたならば、入浴者の動作が停止してから５０秒後に子機１０の子機側警報手段１３が警報を発報する。
【００３３】
そこで、たとえ浴槽で水の中に顔をつけて前記入浴者の動作が停止した場合でも５０秒後には子機１０の子機側警報手段１３が警報を発報し、家人が駆けつけてくることができる。これによって重大事故が発生する危険を少なくすることができる。
【００３４】
この実施形態では、親機２が記録手段９を備えている場合、記録手段９は、作動スイッチ３による親機２の作動開始以降の入浴状態見守り装置１の作動状況を記録する。例えば、作動スイッチ３による親機２の作動開始６００秒後に浴室内警報を発報した、６１０秒後に子機警報を発報した等の情報を所定の記憶部（不図示）に記録する。
【００３５】
［子機の構成］
子機１０は、図１図示のように、情報受信手段１１と、親機作動状態表示手段１２と、子機側警報手段１３と、を備えている。
【００３６】
情報受信手段１１は、親機２から前記無線通信で送信された作動スイッチ３によって親機２が作動した情報や、前記入浴者の異常状態に関する情報を受信する。
【００３７】
親機作動状態表示手段１２は、親機２から作動スイッチ３によって親機２が作動した情報を取得して、親機２の作動状態を表示する。例えば、表示ランプを点灯状態にする、液晶ディスプレイ等の表示装置に親機２が作動したことを表示する、等が行われる。
【００３８】
前記入浴者が前記浴室に配備されている親機２の作動スイッチ３を操作することで、居間、キッチン、等の家屋内の他の部屋に居る家人は親機２が作動開始したことを確認できる。
【００３９】
前記入浴者が前記浴室に入っていったにもかかわらず、子機１０の親機作動状態表示手段１２が親機２の作動状態を表示しない場合には、前記家人は作動スイッチ３が操作されていないと判断し、前記浴室に行き作動スイッチ３を操作すればよい。
【００４０】
子機側警報手段１３は、親機２から前記入浴者の異常状態に関する情報を取得して、前記家屋内の他の部屋で警報を発報する。
【００４１】
上述したように、親機２側で、４０秒間継続して前記入浴者の動作をセンサ５が確認できず、親機側警報手段７が前記浴室内に聞こえる前記警報音を発報しても、引き続き１０秒間（すなわち、４０秒の最初からの時間では５０秒）センサ５が前記入浴者の動作を確認できない場合には、異常情報通知手段８が子機３に前記入浴者の異常状態に関する情報を通知する。
【００４２】
子機３では、子機側警報手段１３が警報を発報し、家人は前記浴室で異常が起こったことを把握でき、前記浴室に駆けつけることができるので、重大事故が発生する危険を少なくすることができる。
【００４３】
［入浴状態見守り処理フロー］
図２を参照して、本考案の入浴状態見守り処理フローを説明する。
【００４４】
（Ｓ１０１）
入浴者は浴室内で親機２の作動スイッチ３を操作して親機２を作動させる。
【００４５】
（Ｓ１０２）
親機２の親機作動情報通知手段４は、作動スイッチ３によって親機２が作動した情報を無線通信で子機１０に通知する。子機１０の親機作動状態表示手段１２は、親機２から作動スイッチ３によって親機２が作動した情報を取得して、子機１０が備える表示ランプを点灯状態にして親機２の作動状態を表示する。
【００４６】
（Ｓ１０３）
センサ５は、作動スイッチ３が操作されて親機２が作動すると、前記浴室内の前記入浴者の動作感知を開始する。
【００４７】
（Ｓ１０４、Ｓ１０５）
タイマー６は、センサ５が、前記入浴者が動作を停止したと認識した時点からその停止状態が続いている時間を、例えば、４０秒計測する。
【００４８】
（Ｓ１０６）
センサ５が前記４０秒間継続して前記入浴者の動作を確認できなかった場合、親機側警報手段７は、前記浴室内に聞こえる警報音を発報する。
【００４９】
（Ｓ１０７）
センサ５は、前記警報音の発報後、前記入浴者の動作の有無を確認する。センサ５が前記入浴者の動作があることを確認した場合、上記Ｓ１０３〜Ｓ１０５にしたがって、引き続き前記入浴者の動作を感知する。
【００５０】
例えば、前記入浴者が、たまたま、居眠りしていた等、動作を停止した場合、前記警報音で目覚めるので、センサ５は前記入浴者の動作があることを確認できる。そこで、前記入浴者の動作の有無を確認するセンサ５、タイマー６による４０秒の計測処理は、前記入浴者の動作があったことを確認できた時点でリセットされ、ここからまた、上記Ｓ１０３〜Ｓ１０５にしたがって４０秒間の前記入浴者の動作の有無の確認が行われる。
【００５１】
（Ｓ１０８）
タイマー６は、親機側警報手段７が前記警報音を発報した後、センサ５が前記入浴者が依然として動作を停止していると認識しているならばその停止状態が続いている時間を例えば１０秒計測する。
【００５２】
（Ｓ１０９）
センサ５は、タイマー６が計測している１０秒の間に、前記入浴者の動作の有無を確認する。センサ５が前記入浴者の動作があることを確認した場合、上記Ｓ１０３〜Ｓ１０５にしたがって、引き続き前記入浴者の動作を感知する。
【００５３】
（Ｓ１１０）
前記１０秒間継続して前記入浴者の動作をセンサ５が確認できず、親機側警報手段７が前記浴室内に聞こえる前記警報音を発報しても、引き続き１０秒間（すなわち、４０秒の最初からの時間では５０秒）センサ５が前記入浴者の動作を確認できない場合には、異常情報通知手段８が子機３に前記入浴者の異常状態に関する情報を通知する。
【００５４】
（Ｓ１１１）
子機側警報手段１３は、親機２から前記入浴者の異常状態に関する情報を取得して、前記家屋内の他の部屋で警報を発報する。
【００５５】
前記他の部屋に居る家人は前記浴室で異常が起こったことを把握でき、前記浴室に駆けつけることができるので、重大事故が発生する危険を少なくすることができる。
【００５６】
このように、本実施形態では、浴室内に設置される「親機」と、居間などに配置される「子機」だけで「入浴状態見守り装置」を構成することができる。
【００５７】
ここで、「親機」は、入浴者の動作状況を感知するセンサ、子機に無線通信手段で情報提供する通信手段、作動スイッチ、作動スイッチによって親機が作動したことを子機に連絡する手段、センサで入浴者の動作が停止したと認識した時点からその状態が続いている時間を計測するタイマ、動作の停止状態が４０秒（第一の所定時間）続いた時に浴室内で警報発報する手段、その後１０秒（第二の所定時間）動作の停止状態が継続したときに子機に連絡する手段を備えていれば十分である。
【００５８】
また、「子機」は、浴室内に配備されている親機から無線通信手段で送信されてくる情報を取得する手段、作動スイッチによって親機が作動したことを知らせる手段、５０秒間（第一の所定時間とこれに引き続く第二の所定時間）連続して動きが無いという情報を取得したときに警報を発報する警報手段を備えていれば十分である。
【００５９】
そして、浴室内に配備されている親機から、居間やキッチンなどに配置される子機に、無線通信で、情報が届く構成なので、浴室と居間、等の間に配線する必要が無く、子機は無線通信情報を取得できるだけでよい。
【００６０】
そこで、簡易な構成・構造の入浴状態見守り装置にすることができ、装置を設置する作業も簡便で済む。したがって、低価格で提供することができる。
【００６１】
更に、この実施形態では、親機２に備えられている記録手段９が、作動スイッチ３による親機２の作動開始以降の入浴状態見守り装置１の作動状況を記録している。例えば、作動スイッチ３による親機２の作動開始６００秒後に浴室内警報を発報した、６１０秒後に子機警報を発報した等の情報が所定の記憶部（不図示）に記録されている。
【００６２】
そこで、例えば、無償、等、極めて低価格で「入浴状態見守り装置」を家庭に導入してもらい、導入後、所定の期間（例えば、１カ月あるいは、３カ月経過後）に作動状況を確認し、子機側で警報が発報されていたことを確認できたときに、「入浴状態見守り装置」を導入した意義があった、として導入価格の支払いを受けるようにすることができる。
【００６３】
あるいは、家庭での導入後、所定の間隔（例えば、１カ月ごと、３カ月ごと、等）で作動状況を確認し、各期間で、子機側で警報が発報された回数に応じて使用料金の支払いを受ける、等にすることもできる。
【００６４】
これらによって低価格での家庭への「入浴状態見守り装置」導入を促進させ、入浴中の死亡事故発生防止につなげることができる。
【００６５】
（実施の形態２）
図３〜図５図示の実施の形態は、上述した図１図示の実施の形態において、親機２が、更に、ポンプ作動手段１４、緊急時対応者通報手段１５、玄関錠開錠指示手段１６を備えているものである。
【００６６】
ポンプ作動手段１４は、浴室２０内の浴槽２１に配備されている排水ポンプ２３を作動開始させる処理動作を行い、緊急時対応者通報手段１５は、緊急時対応者に通報する処理動作を行い、玄関錠開錠指示手段１６は、家屋の玄関扉に配備されている電子錠を開錠する開錠指示情報を電子錠に対して送る処理動作を行う。
【００６７】
その他の処理動作、入浴状態見守り処理フローに関しては、上述した実施の形態１で説明したものと同一であるので、共通している部分には共通する符号を付してその説明を省略し、親機２がポンプ作動手段１４、緊急時対応者通報手段１５、玄関錠開錠指示手段１６を備えていることによるこの実施形態特有の処理動作、入浴状態見守り処理フローについてのみ説明する。
【００６８】
上述した実施の形態１で異常情報通知手段８が子機３に入浴者の異常状態に関する情報を通知した際（Ｓ１１０）、引き続いて、ポンプ作動手段１４が、浴室２０内の浴槽２１に配備されている排水ポンプ２３を作動開始させる処理動作を行う（Ｓ１１２）。
【００６９】
これによって、排水ポンプ２３は、浴槽２１のお湯２２を、吸引パイプ２４、排水パイプ２５を介して、浴槽２１の外側に矢印２６、２７で示すように排水する作業を開始する（Ｓ１１３）。
【００７０】
上述した実施の形態１で異常情報通知手段８が子機３に入浴者の異常状態に関する情報を通知した（Ｓ１１０）時点で入浴者が浴槽２１内のお湯２２内に顔を付けている、等で溺れてしまう危険があるときに、これを未然に防止することができる。
【００７１】
親機２から排水ポンプ２３への作動開始指示は、親機２と排水ポンプ２３とを有線接続して、あるいは、無線で、親機２から排水ポンプ２３へ、作動開始指示情報が伝えられるようにすることができる。
【００７２】
ポンプ作動手段１４が、浴室２０内の浴槽２１に配備されている排水ポンプ２３を作動開始させる前述した処理動作（Ｓ１１２）は、上述した実施の形態１で異常情報通知手段８が子機３に入浴者の異常状態に関する情報を通知する（Ｓ１１０）と同時に開始されるようにすることができる。
【００７３】
また、異常情報通知手段８が子機３に入浴者の異常状態に関する情報を通知（Ｓ１１０）した後、所定の時間内に家人が浴室に駆けつけるであろうことを考慮して、上述した実施の形態１で異常情報通知手段８が子機３に入浴者の異常状態に関する情報を通知（Ｓ１１０）した後、所定時間（例えば、１０秒）経過してから、ポンプ作動手段１４が、浴室２０内の浴槽２１に配備されている排水ポンプ２３を作動開始させる前述した処理動作（Ｓ１１２）を行うようにすることもできる。
【００７４】
緊急時対応者通報手段１５は、上述した実施の形態１で異常情報通知手段８が子機３に入浴者の異常状態に関する情報を通知した際（Ｓ１１０）、引き続いて、緊急時対応者に通報する処理動作を行う（Ｓ１１４）。
【００７５】
ここで、緊急時対応者としては、あらかじめ契約している介護者、あらかじめ契約している警備会社、消防署などがあげられる。これらの者が使用している電話などの通信機器、端末に対して、親機２から無線で通報を行うようにすることができる。あるいは、親機２からの無線での通報が子機１０に通知され、子機１０を介して、前述した、緊急時対応者が使用している電話などの通信機器、端末に対して有線の電話回線を介して、あるいは、無線の電話回線を介する、等して、通報が行われる形態にすることができる。
【００７６】
あらかじめ契約している介護者、警備会社や、消防署などは、通報を受けることでただちに緊急対応（Ｓ１１５）を行うことができる。
【００７７】
緊急時対応者通報手段１５が行う緊急時対応者に通報する処理動作（Ｓ１１４）は、上述した実施の形態１で異常情報通知手段８が子機３に入浴者の異常状態に関する情報を通知する（Ｓ１１０）と同時に行われるようにすることができる。
【００７８】
また、異常情報通知手段８が子機３に入浴者の異常状態に関する情報を通知（Ｓ１１０）した後、所定の時間内に家人が浴室に駆けつけるであろうことを考慮して、上述した実施の形態１で異常情報通知手段８が子機３に入浴者の異常状態に関する情報を通知（Ｓ１１０）した後、所定時間（例えば、２０秒）経過してから、緊急時対応者通報手段１５が緊急時対応者に通報する処理動作（Ｓ１１４）を行うようにすることもできる。
【００７９】
この場合、浴室に駆けつけた家人は、自らの判断で緊急時対応者に通報するときには、親機２からの通報は行われないようにした上で、家人自ら、電話、等を介して、あらかじめ契約している介護者、警備会社や、消防署などへ通報することができる。
【００８０】
玄関錠開錠指示手段１６は、緊急時対応者通報手段１５が緊急時対応者に通報する処理動作（Ｓ１１４）を行った後、所定の時間（例えば、１８０秒）が経過した時点で、家屋の玄関扉に配備されている電子錠を開錠する開錠指示情報を電子錠に対して送る処理動作を行う（Ｓ１１６）。
【００８１】
これによって、家屋の玄関扉に配備されている電子錠が開錠され（Ｓ１１７）、前述した緊急時対応者が駆けつけてきたときに、玄関扉を開けて家屋内に入り、必用な救急措置を講じることができる。
【００８２】
（実施の形態３）
図６、図７図示の実施の形態は、上述した図１図示の実施の形態において、親機２が、更に、ポンプ作動手段１４を備えていて、子機１０が、更に、緊急時対応者通報手段１５ａ、玄関錠開錠指示手段１６ａを備えているものである。
【００８３】
ポンプ作動手段１４は、実施の形態２で説明したのと同じく、浴室２０内の浴槽２１に配備されている排水ポンプ２３を作動開始させる処理動作を行う。
【００８４】
緊急時対応者通報手段１５ａは、実施の形態２で説明した緊急時対応者通報手段１５と同様に、緊急時対応者に通報する処理動作を行う。玄関錠開錠指示手段１６ａは、実施の形態２で説明した玄関錠開錠指示手段１６と同様に、家屋の玄関扉に配備されている電子錠を開錠する開錠指示情報を電子錠に対して送る処理動作を行う。
【００８５】
その他の処理動作、入浴状態見守り処理フローに関しては、上述した実施の形態１、２で説明したものと同一であるので、共通している部分には共通する符号を付してその説明を省略する。
【００８６】
この実施形態では、子機１０が備えている緊急時対応者通報手段１５ａ、玄関錠開錠指示手段１６ａによって、実施の形態２で説明した緊急時対応者への通報、玄関錠開錠指示が行われる点が実施の形態２と相違しているだけである。
【００８７】
上述した実施の形態１で異常情報通知手段８が子機３に入浴者の異常状態に関する情報を通知し（Ｓ１１０）、子機１０の子機側警報手段１３が親機２から前記入浴者の異常状態に関する情報を取得して家屋内の他の部屋で警報を発報する（Ｓ１１１）と、引き続いて、緊急時対応者通報手段１５ａが、緊急時対応者に通報する処理動作を行う（Ｓ１１８）。
【００８８】
あらかじめ契約している介護者、警備会社や、消防署などの緊急時対応者は、通報を受けることでただちに緊急対応（Ｓ１１９）を行うことができる。
【００８９】
緊急時対応者通報手段１５ａが行う緊急時対応者に通報する処理動作（Ｓ１１８）は、上述した実施の形態１で子機１０の子機側警報手段１３が親機２から入浴者の異常状態に関する情報を取得して家屋内の他の部屋で警報を発報する（Ｓ１１１）と同時に行われるようにすることができる。
【００９０】
また、子機１０の子機側警報手段１３が親機２から入浴者の異常状態に関する情報を取得して家屋内の他の部屋で警報を発報（Ｓ１１１）した後、所定の時間内に家人が浴室に駆けつけるであろうことを考慮して、上述した実施の形態１で子機１０の子機側警報手段１３が親機２から入浴者の異常状態に関する情報を取得して家屋内の他の部屋で警報を発報（Ｓ１１１）した後、所定時間（例えば、２０秒）経過してから、緊急時対応者通報手段１５ａが緊急時対応者に通報する処理動作（Ｓ１１８）を行うようにすることもできる。
【００９１】
この場合、浴室に駆けつける家人は、自らの判断で緊急時対応者に通報するときには、子機１０からの通報は行われないようにした上で、家人自ら、電話、等を介して、あらかじめ契約している介護者、警備会社や、消防署などへ通報することができる。
【００９２】
玄関錠開錠指示手段１６ａは、緊急時対応者通報手段１５ａが緊急時対応者に通報する処理動作（Ｓ１１８）を行った後、所定の時間（例えば、１８０秒）が経過した時点で、家屋の玄関扉に配備されている電子錠を開錠する開錠指示情報を電子錠に対して送る処理動作を行う（Ｓ１２０）。
【００９３】
これによって、家屋の玄関扉に配備されている電子錠が開錠され（Ｓ１２１）、前述した緊急時対応者が駆けつけてきたときに、玄関扉を開けて家屋内に入り、必用な救急措置を講じることができる。
【００９４】
以上、添付図面を参照して本考案の実施形態を説明したが、本考案は上述した実施形態に限られることなく、実用新案登録請求の範囲の記載から把握される技術的範囲において種々に変更可能である。
【００９５】
例えば、上述した実施形態で説明した親機２が、ポンプ作動手段１４に替えて、浴槽栓開放指示手段（不図示）を備えている構成にすることもできる。
【００９６】
上述した実施の形態１で異常情報通知手段８が子機３に入浴者の異常状態に関する情報を通知した際（Ｓ１１０）、引き続いて、浴槽栓開放指示手段（不図示）が、浴室２０内の浴槽２１に配備されている浴槽栓解除手段２８に対して、浴槽栓開放指示を送り、浴槽栓２９を開放する処理動作を実行させる。
【００９７】
これによって、浴槽２１のお湯２２は排水パイプ３０を介して、浴槽２１の外側に矢印３１で示すように排水されていく。
【００９８】
上述した実施の形態１で異常情報通知手段８が子機３に入浴者の異常状態に関する情報を通知した（Ｓ１１０）時点で入浴者が浴槽２１内のお湯２２内に顔を付けている、等で溺れてしまう危険があるときに、これを未然に防止することができる。
【００９９】
親機２の浴槽栓開放指示手段（不図示）から浴槽栓解除手段２８への作動開始指示は、親機２と浴槽栓解除手段２８とを有線接続して、あるいは、無線で、親機２から浴槽栓解除手段２８へ、浴槽栓開放指示情報が伝えられるようにすることができる。
【０１００】
浴槽栓開放指示手段（不図示）が、浴室２０内の浴槽２１に配備されている浴槽栓解除手段２８を作動開始させる前述した処理動作は、上述した実施の形態１で異常情報通知手段８が子機３に入浴者の異常状態に関する情報を通知する（Ｓ１１０）と同時に開始されるようにすることができる。
【０１０１】
また、異常情報通知手段８が子機３に入浴者の異常状態に関する情報を通知（Ｓ１１０）した後、所定の時間内に家人が浴室に駆けつけるであろうことを考慮して、上述した実施の形態１で異常情報通知手段８が子機３に入浴者の異常状態に関する情報を通知（Ｓ１１０）した後、所定時間（例えば、１０秒）経過してから、浴槽栓開放指示手段（不図示）が、浴室２０内の浴槽２１に配備されている浴槽栓解除手段２８を作動開始させる前述した処理動作を行うようにすることもできる。
【０１０２】
更に、親機２が、ポンプ作動手段１４と、上述した浴槽栓開放指示手段（不図示）との双方を備えている構成にすることもできる。
【０１０３】
上述した実施の形態では、浴室２０内に配備される親機２が、作動スイッチ３、親機作動情報通知手段４、センサ５、タイマー６、親機側警報手段７、異常情報通知手段８、記録手段９、ポンプ作動手段１４、緊急時対応者通報手段１５、玄関錠開錠指示手段１６、浴槽栓開放指示手段（不図示）を備えていて、これが浴室２０内に配備されている構成で説明した。
【０１０４】
この親機２を、浴室２０内に配備される第一の親機と、浴室２０外で浴室２０に隣接している部屋（例えば、脱衣所）に配備される第二の親機とに分け、浴室２０及び浴室２０外で浴室２０に隣接している部屋（例えば、脱衣所）以外の家屋内の部屋（例えば、居間など）に配備される子機１０に対して、第二の親機が、無線通信規格で定められている無線通信網を利用して所定の情報を送信可能になっていて、第一の親機と第二の親機との間は無線で、あるいは、有線で情報交信可能にしておくことも可能である。
【０１０５】
この場合、浴室２０内に配備される第一の親機は、例えば、センサ５、親機側警報手段７、ポンプ作動手段１４、浴槽栓開放指示手段（不図示）を備えていて、浴室２０外で浴室２０に隣接している部屋（例えば、脱衣所）に配備される第二の親機が、例えば、作動スイッチ３、親機作動情報通知手段４、タイマー６、異常情報通知手段８、記録手段９、緊急時対応者通報手段１５、玄関錠開錠指示手段１６を備えている、等、上述した実施形態で説明した親機２が備えている機能を、第一の親機と、第二の親機とで分け持っている構成にするものである。
【０１０６】
この実施形態における「浴室２０内に配備される親機２」という概念には、上述したように、無線で、あるいは、有線で情報交信可能に接続されている、浴室２０内に配備される第一の親機と、浴室２０外で浴室２０に隣接している部屋（例えば、脱衣所）に配備される第二の親機との構成の全体で、上述した実施形態で説明した親機２の機能を発揮するものが含まれる。
【符号の説明】
【０１０７】
１  入浴状態見守り装置
２  親機
３  作動スイッチ
４  親機作動情報通知手段
５  センサ
６  タイマー
７  親機側警報手段
８  異常情報通知手段
９  記録手段
１０  子機
１１  情報受信手段
１２  親機作動状態表示手段
１３  子機側警報手段
１４  ポンプ作動手段
１５、１５ａ  緊急時対応者通報手段
１６、１６ａ  玄関錠開錠指示手段
２０  浴室
２１  浴槽
２３  排水ポンプ
【図１】
0003231286.tif 000003
【図２】
0003231286.tif 000004
【図３】
0003231286.tif 000005
【図４】
0003231286.tif 000006
【図５】
0003231286.tif 000007
【図６】
0003231286.tif 000008
【図７】
0003231286.tif 000009